【手続補正書】
【提出日】令和2年8月3日(2020.8.3)
【手続補正１】
【補正対象書類名】特許請求の範囲
【補正対象項目名】全文
【補正方法】変更
【補正の内容】
【特許請求の範囲】
【請求項１】
オブジェクト配置空間内に分布するオブジェクトの管理を可能にするための、電子的にアドレス指定可能なオブジェクトキャリアであって、
オブジェクトを前記オブジェクトキャリアに固定するためのオブジェクト保持要素と、関連するロック装置との解放可能な係合のためのロック要素と、を有するハウジングと、
前記ハウジングにより支持されるマイクロコントローラであって、前記オブジェクトキャリアに固定されるオブジェクトを識別するための固有のオブジェクトアドレスを有するマイクロコントローラと、
前記マイクロコントローラをオブジェクトアドレス信号及び電力信号の送信元に電気的に結合するために、前記ハウジングの内部に配置された複数の電気伝導性接触パッドと、
前記マイクロコントローラが前記固有のオブジェクトアドレスを表すアドレス信号を受信するたびに作動するように前記マイクロコントローラに結合されたインジケータと、を備える、オブジェクトキャリア。
【請求項２】
ブルートゥース（登録商標）ユニットと、
前記ブルートゥース（登録商標）ユニットに結合されたバッテリ電源装置と、
前記複数の電気伝導性接触パッドのうちの少なくとも１つに結合された入力と、前記バッテリ電源装置に結合された出力端子と、を有するバッテリ充電ユニットと、をさらに含み、
前記ブルートゥース（登録商標）ユニット、前記バッテリ電源装置、及び前記バッテリ充電ユニットは、前記ハウジング内に配置されている、請求項１に記載のオブジェクトキャリア。
【請求項３】
オブジェクト配置空間内に分布するオブジェクトを管理するためのシステムであって、
支持要素であって、
複数の取付開口と、
前記複数の取付開口のうちの関連する１つに隣接してそれぞれ取り付けられるとともに、ロック位置とアンロック位置との間で電気的に動作可能な、複数のロック装置と、
前記取付開口に位置合わせされてそれぞれ取り付けられた複数のプローブピン組立体であって、それぞれのプローブピン組立体は、ハウジング、及びばね付勢により前記ハウジングの外方に付勢されて並進可能なプローブピンを有し、前記プローブピンは、送信元に電気的に接続されている、複数のプローブピン組立体と、を有する支持要素と、
複数の電子的にアドレス指定可能なオブジェクトキャリアであって、各オブジェクトキャリアは、
オブジェクトを前記オブジェクトキャリアに固定するためのオブジェクト保持要素と、前記ロック装置のうちの関連する１つとの解放可能な係合のためのロック要素と、を有するハウジングであって、前記ハウジングは、前記ハウジングを挿入可能かつ取り外し可能であるように、前記複数の取付開口のうちの関連する１つに適合した外部寸法を有する、ハウジングと、
前記ハウジングにより支持されるマイクロコントローラであって、前記オブジェクトキャリアに固定されるオブジェクトを識別するための固有のオブジェクトアドレスを有するマイクロコントローラと、
前記プローブピンを介して前記マイクロコントローラをオブジェクトアドレス信号及び電力信号の送信元に電気的に結合するために、前記プローブピン組立体に位置合わせされて、前記ハウジングの内部に配置された複数の電気伝導性接触パッドと、
前記マイクロコントローラが前記固有のオブジェクトアドレスを表すアドレス信号を受信するたびに作動するように前記マイクロコントローラに結合されたインジケータと、を有する、複数のオブジェクトキャリアと、を備え、
前記ロック装置を前記アンロック位置に動作させたときに、前記プローブピン組立体は、前記キャリアに対して、前記支持要素の外方に付勢力を与える、システム。
【請求項４】
前記ロック要素は、前記ハウジングの表面に形成され、前記関連するロック装置と係合可能な表面を有する凹部を備える、
請求項１に記載のオブジェクトキャリア。
【請求項５】
前記ハウジングは下面を有し、前記凹部は前記下面に形成される、
請求項４に記載のオブジェクトキャリア。
【請求項６】
前記関連するロック装置と係合可能な前記表面は当接縁である、
請求項４に記載のオブジェクトキャリア。
【請求項７】
ブルートゥース（登録商標）ユニットと、
前記ブルートゥース（登録商標）ユニットに結合されるバッテリ電源装置と、
前記複数の電気伝導性接触パッドのうちの少なくとも１つに結合される入力と前記バッテリ電源装置に結合される出力端子とを有するバッテリ充電ユニットと
をさらに含み、
前記ブルートゥース（登録商標）ユニット、前記バッテリ電源装置、及び前記バッテリ充電ユニットは前記ハウジング内に配置される、
請求項１に記載のオブジェクトキャリア。
【請求項８】
前記複数の電子的にアドレス指定可能なオブジェクトキャリアのうちの少なくともいくつかは、
ブルートゥース（登録商標）ユニットと、
前記ブルートゥース（登録商標）ユニットに結合されたバッテリ電源装置と、
前記複数の電気伝導性接触パッドのうちの少なくとも１つに結合された入力と、前記バッテリ電源装置に結合された出力端子と、を有するバッテリ充電ユニットと、をさらに含み、
前記ブルートゥース（登録商標）ユニット、前記バッテリ電源装置、及び前記バッテリ充電ユニットは、前記ハウジング内に配置されている、請求項３〜７のいずれか一項に記載のシステム。
【請求項９】
前記支持要素は、前記複数の電子的にアドレス指定可能なオブジェクトキャリアを取り外し可能に保管するための保管キャビネットの内壁を備える、
請求項８に記載のシステム。
【請求項１０】
前記インジケータは可視インジケータである、
請求項８に記載のシステム。
【請求項１１】
前記可視インジケータはＬＥＤである、
請求項１０に記載のシステム。
【請求項１２】
前記ロック要素は、前記ハウジングの表面に形成され、前記関連するロック装置と係合可能な表面を有する凹部を備える、
請求項８に記載のシステム。
【請求項１３】
前記ハウジングは下面を有し、前記凹部は前記下面に形成される、
請求項１２に記載のシステム。
【請求項１４】
前記関連するロック装置と係合可能な前記表面は当接縁である、
請求項１２に記載のシステム。
【請求項１５】
前記ロック装置は、電気的に動作可能なソレノイドユニットである、
請求項８に記載のシステム。
【請求項１６】
前記ソレノイドユニットはそれぞれ、ロック位置とアンロック位置との間で移動可能な制御要素を含み、
前記ロック要素は、前記ハウジングの表面に形成され、前記制御要素が前記ロック位置にあるときに、前記関連するロック装置の前記制御要素と係合可能な表面を有する凹部を備える、
請求項１５に記載のシステム。
【請求項１７】
前記複数の電子的にアドレス指定可能なオブジェクトキャリアのうちの少なくともいくつかは、前記マイクロコントローラが電力信号を受信するたびに作動するように前記マイクロコントローラに結合される追加のインジケータをさらに含む、
請求項８に記載のシステム。
【請求項１８】
前記複数の電子的にアドレス指定可能なオブジェクトキャリアのうちの少なくともいくつかは、
ブルートゥース（登録商標）ユニットと、
前記ブルートゥース（登録商標）ユニットに結合されるバッテリ電源装置と、
前記複数の電気伝導性接触パッドのうちの少なくとも１つに結合される入力と前記バッテリ電源装置に結合される出力端子とを有するバッテリ充電ユニットと
をさらに含み、
前記ブルートゥース（登録商標）ユニット、前記バッテリ電源装置、及び前記バッテリ充電ユニットは前記ハウジング内に配置される、
請求項８に記載のシステム。
【請求項１９】
対応する取付開口に隣接して取り付けられる前記ロック装置がアンロック位置であるたびに作動するように前記複数の取付開口に隣接して前記支持要素に取り付けられる複数の追加のインジケータをさらに含む、
請求項８に記載のシステム。